(57)【要約】【課題】確実かつ安定した嵌合がなされ、端子間の空間距離そして沿面距離を大きく確保できるケーブル用コネクタとこれに嵌合される基板用コネクタとを提供することを課題とする。【解決手段】基板用コネクタ３０へ嵌合接続されるケーブル用コネクタ１０において、回路基板の面と平行な方向にハウジングから延出するケーブルＣが結線される端子１６を有する複数のコネクタ部１１と、該複数のコネクタ部１１のケーブルＣ同士が同一向きで平行となる位置でこれらのコネクタ部１１を一体的に連結する連結部１２とを有し、コネクタ嵌合方向に延びる各コネクタ部１１の外壁面１３Ｂ，１３Ｃに嵌合面が形成され、コネクタの嵌合状態で基板用コネクタ３０の受入凹部３４の底面と対面する上記コネクタ部１１の前面１３Ｅの位置よりも上記嵌合方向でコネクタ部の外壁面１３Ｂ，１３Ｃに沿って突出する突出部１７にまで上記嵌合面が及んでいる。  【選択図】図１
2008293842.tif 000002
【特許請求の範囲】
【請求項１】
回路基板に取り付けられた相手方たる基板用コネクタへ該回路基板に対して直角な嵌合方向で嵌合接続されるケーブル用コネクタにおいて、回路基板の面と平行な方向にハウジングから延出するケーブルが結線される端子を有する複数のコネクタ部と、該複数のコネクタ部のケーブル同士が同一向きで平行となる位置でこれらのコネクタ部を一体的に連結する連結部とを有し、上記嵌合方向に延びる各コネクタ部の外壁面に嵌合面が形成され、コネクタの嵌合状態で基板用コネクタの受入凹部の底面と対面する上記コネクタ部の前面の位置よりも上記嵌合方向でコネクタ部の外壁面に沿って突出する突出部にまで上記嵌合面が及んでいることを特徴とするケーブル用電気コネクタ。
【請求項２】
嵌合面は、複数のコネクタ部の互いに直交せる二つの外壁面に形成されていることとする請求項１に記載のケーブル用電気コネクタ。
【請求項３】
突出部は隣接せる二つのコネクタ部の端子同士の間にも設けられていることとする請求項１に記載のケーブル用電気コネクタ。
【請求項４】
連結部はその前面がコネクタ部の前面よりも嵌合方向で没入して形成されていることとする請求項１に記載のケーブル用電気コネクタ。
【請求項５】
回路基板に取り付けられ該回路基板に対して直角な嵌合方向でケーブル用コネクタを受け入れる基板用コネクタおいて、回路基板の面と平行な方向にハウジングからケーブルが延出するケーブル用コネクタを離間せる複数位置の受入凹部で受け入れる複数のコネクタ部と、これらのコネクタ部を一体的に連結する連結部とを有し、上記嵌合方向に延びる各コネクタ部の嵌合面が受入凹部の内壁面に形成され、コネクタの嵌合状態で上記受入凹部の底面の位置よりも上記嵌合方向でコネクタ部の上記内壁面に沿って没入する没入部にまで上記嵌合面が及んでいることを特徴とする基板用電気コネクタ。
【請求項６】
嵌合面は、複数のコネクタ部の互いに直交せる二つの内壁面に形成されていることとする請求項５に記載の基板用電気コネクタ。
【請求項７】
没入部は隣接せる二つのコネクタ部の端子同士の間にも設けられていることとする請求５に記載の基板用電気コネクタ。
【請求項８】
連結部はその上面がコネクタ部の受入凹部の底面よりも上方に突出して形成されていることとする請求項５に記載の基板用電気コネクタ。
【発明の詳細な説明】
【技術分野】
【０００１】
本発明は、ケーブル用電気コネクタ及びこれに接続される基板用電気コネクタに関する。
【背景技術】
【０００２】
回路基板に取り付けられる基板用電気コネクタ（以下、「基板用コネクタ」）と、該回路基板の面に対し直角な方向で該基板用コネクタに嵌合接続されてケーブルが上記回路基板と平行に延出するケーブル用電気コネクタ（以下、「ケーブル用コネクタ」）とは、例えば、特許文献１に開示されている。
【０００３】
特許文献１では、基板用コネクタのハウジングは、略直方体外形をなし、ケーブル付のケーブル用コネクタを相手コネクタとして受け入れるための凹部が上方に向け開口し、該凹部は一つの側壁で該凹部の深さ範囲にわたり側方にも開放されている。ケーブル用コネクタは、回路基板の面と平行で側方へ延出するようにケーブルが結線されており、上方から基板用コネクタに嵌合された際、ケーブルが上記凹部の側方での開口部分を通して延出するようになっている。
【０００４】
上記ケーブル用コネクタは、基板用コネクタが一つの側壁で側方に大きく開放されているので、上記基板用コネクタの凹部の残りの三つの側壁内面で形成される嵌合面で案内される。これらの三つの嵌合面は同じ高さ範囲（嵌合方向での範囲）にあり、ケーブル用コネクタは、嵌合開始時そして嵌合完了時がこれらの三つの嵌合面の間でそれぞれ同時である。又、この嵌合面は、嵌合方向にてケーブル用コネクタの前面までの長さ、すなわち、基板用コネクタ側ではこのケーブル用コネクタの前面が当接する凹部の底面までの深さがその嵌合長である。この特許文献１のコネクタは、上記凹部内で三本のケーブルが隣接する位置に端子が設けられている。
【特許文献１】特開２００２−３３１５０
【発明の開示】
【発明が解決しようとする課題】
【０００５】
コネクタは、一般に、嵌合面が嵌合方向で長いことが望ましい。特に、ケーブル用コネクタのケーブルが側方へ延出している場合、上述のごとく、ハウジングの周壁がケーブルの延出のために一部を開放して形成されているので、それだけ嵌合面（の面積）が小さくなる。そこで、嵌合長を大きくして嵌合面を十分確保したいという傾向にある。かかる状況のもとで、特許文献１にあっては、三つの嵌合面はいずれも嵌合方向で同じ範囲にあるので、各嵌合面で同時に嵌合を開始し、また完了する。すなわち、コネクタの嵌合方向寸法を小さくしようとすれば、嵌合長は小さくなり、十分な嵌合長を確保しようとすれば嵌合方向寸法が大きくなる。
【０００６】
また、コネクタを電源ケーブル用として使用するとき、隣接するケーブルの端子同士間を、絶縁物で隔離することなく電気的絶縁を達成するためには、空間距離と沿面距離の双方を十分に確保する必要がある。空間距離とは端子同士間の空間を通る最短距離であり、沿面距離とは端子同士間の絶縁物の表面に沿った最短距離である。特許文献１のコネクタにあっては、端子同士が近接配置されていて、空間距離そして沿面距離のいずれも小さい。
【０００７】
本発明は、このような事情に鑑み、嵌合方向での寸法を小さくしたままで、十分な嵌合長を得られ、また、コネクタを電源ケーブル用として用いても、空間距離そして沿面距離を十分に確保できるケーブル用コネクタ及び基板用コネクタを提供することを目的とする。
【課題を解決するための手段】
【０００８】
上記課題は、ケーブル用コネクタそしてこれを受け入れる基板用コネクタに関して、次のように解決される。
【０００９】
＜ケーブル用コネクタ＞
本発明に係るケーブル用コネクタは、回路基板に取り付けられた相手方たる基板用コネクタへ該回路基板に対して直角な嵌合方向で嵌合接続される。
【００１０】
かかるケーブル用コネクタにおいて、本発明は、回路基板の面と平行な方向にハウジングから延出するケーブルが結線される端子を有する複数のコネクタ部と、該複数のコネクタ部のケーブル同士が同一向きで平行となる位置でこれらのコネクタ部を一体的に連結する連結部とを有し、上記嵌合方向に延びる各コネクタ部の外壁面に嵌合面が形成され、コネクタの嵌合状態で基板用コネクタの受入凹部の底面と対面する上記コネクタ部の前面の位置よりも上記嵌合方向でコネクタ部の外壁面に沿って突出する突出部にまで上記嵌合面が及んでいることを特徴としている。
【００１１】
このような構成の本発明のケーブル用コネクタは、連結部で連結された複数のコネクタ部が互いに連結部の大きさだけ離れて位置しており、各コネクタ部に嵌合面が形成され、しかもその嵌合面はコネクタ部の前面よりも突出した突出部にまで及んでいる。したがって、嵌合面の面積が大きく確保されるのみならず、嵌合長も長く、また、嵌合面同士の位置が離れているので斜め嵌合も防止され、あるいはその傾きが小さくなり、結果として、安定かつ確実な嵌合がなされる。又、コネクタ部同士間に連結部が存在しているので、これらのコネクタ部の端子間での空間距離そして沿面距離が大きくなり、端子間での絶縁強度が高まる。
【００１２】
本発明において、嵌合面は、複数のコネクタ部の互いに直交せる二つの外壁面に形成されていることが好ましい。こうすることにより、コネクタは嵌合方向に対して直角な二方向での位置出しがなされるのみならず、上記嵌合方向を軸線としてのこの軸線まわりの傾きも規制された位置出しがなされる。
【００１３】
本発明において、突出部は隣接せる二つのコネクタ部の端子同士の間にも設けられていることが好ましい。こうすることにより、上記二つのコネクタ部の端子同士間での空間距離もそして沿面距離も大きくなる。
【００１４】
さらに、本発明において、連結部はその前面がコネクタ部の前面よりも嵌合方向で没入して形成されていることが好ましい。これにより、沿面距離が大きくなる。
【００１５】
＜基板用コネクタ＞
本発明に係る基板用コネクタは、回路基板に取り付けられ該回路基板に対して直角な嵌合方向でケーブル用コネクタを受入れる。
【００１６】
かかる基板用コネクタにおいて、本発明は、回路基板の面と平行な方向にハウジングからケーブルが延出するケーブル用コネクタを離間せる複数位置の受入凹部で受け入れる複数のコネクタ部と、これらのコネクタ部を一体的に連結する連結部とを有し、上記嵌合方向に延びる各コネクタ部の嵌合面が受入凹部の内壁面に形成され、コネクタの嵌合状態で上記受入凹部の底面の位置よりも上記嵌合方向でコネクタ部の上記内壁面に沿って没入する没入部にまで上記嵌合面が及んでいることを特徴としている。
【００１７】
このような構成の本発明の基板用コネクタは、ケーブル用コネクタとの嵌合に適合していて、連結部で連結された複数のコネクタ部が互いに連結部の大きさだけ離れて位置しており、各コネクタ部に嵌合面が形成され、しかもその嵌合面はコネクタ部の受入凹部の底面の位置よりも没入した没入部にまで及んでいる。したがって、嵌合面の面積が大きく確保されるのみならず、嵌合長も長く、また、嵌合面同士の位置が離れているので斜め嵌合も防止され、あるいはその傾きが小さくなり、結果として、安定かつ確実な嵌合がなされる。又、コネクタ部同士間に連結部が存在しているので、これらのコネクタ部の端子間での空間距離そして沿面距離が大きくなり、端子間での絶縁強度が高まる。
【００１８】
本発明において、嵌合面は、複数のコネクタ部の互いに直交せる二つの内壁面に形成されていることが好ましい。こうすることにより、コネクタは嵌合方向に対して直角な二方向での位置出しがなされるのみならず、上記嵌合方向を軸線としてのこの軸線まわりの傾きも規制された位置出しがなされる。
【００１９】
本発明において、没入部は隣接せる二つのコネクタ部の端子同士の間にも設けられていることが好ましい。こうすることにより、上記二つのコネクタ部の端子同士間での空間距離もそして沿面距離も大きくなる。
【００２０】
さらに、本発明において、連結部はその上面がコネクタ部の受入凹部の底面よりも上方に突出して形成されていることが好ましい。これにより、沿面距離が大きくなる。
【発明の効果】
【００２１】
本発明は、以上のように、ケーブル用コネクタにあっては、ケーブルが結線される複数のコネクタ部を連結部で間隔をもって一体に形成し、互いに間隔をもって位置する各コネクタ部の外壁面に嵌合面を形成し、この嵌合面が相手方たる基板用コネクタの受入凹部の底面と対面するケーブル用コネクタの前面よりも突出する突出部にまで及ぶようにしたので、嵌合面の嵌合長そして嵌合面積が大きく確保できると共に、連結部の存在によって間隔を十分に保って位置するコネクタ部同士の嵌合面で、コネクタの斜め嵌合を有効に阻止する。また、上記ケーブル用コネクタを受け入れる基板用コネクタも、上記ケーブル用コネクタに適合して形成されるので、ケーブルの延出用として外壁の一面に開放部があっても、十分に嵌合長そして嵌合面積が確保され、また、斜め嵌合も阻止する。さらには、コネクタ部同士間に連結部が存在しているので、両コネクタ部の端子同士間の空間距離も沿面距離も大きく確保でき、両端子間の絶縁強度が高められる。
【発明を実施するための最良の形態】
【００２２】
以下、添付図にもとづき、本発明の実施の形態を説明する。
【００２３】
図１は、本実施形態のケーブル用コネクタ１０とこれが嵌合する基板用コネクタ３０とを示す斜視図であり、基板用コネクタ３０は下面に取り付けられる回路基板の図示を省略して上方から見た状態、また、これに嵌合されるケーブル用コネクタは、嵌合前で下方から見た状態で図示されている。又、図２は図１のケーブル用コネクタにてケーブル付端子をハウジング内に保持するための保持部材の斜視図であり、（Ａ）は全体を、（Ｂ）は断面斜視図で示しており、さらに図３、図４、そして図５は図１におけるケーブル用コネクタについてのIII─III位置、IV─IV位置そしてV─V位置での断面及びこれらの位置に対応する位置での基板用コネクタの断面を示しており、各図にて、（Ａ）は両コネクタの嵌合前、（Ｂ）は嵌合後を示している。
【００２４】
図１、図３（Ａ）、図４（Ａ）に見られるように、ケーブル用コネクタ１０は、互いに間隔をもって位置する二つのコネクタ部１１を有し、該二つのコネクタ部１１は両者の間に位置する連結部１２により連結されている。すなわち、二つのコネクタ部１１のハウジング１３と上記連結部１２がケーブル用コネクタ１０のハウジングとして一体的に形成されている。
【００２５】
二つのコネクタ部１１のそれぞれからは二本のケーブルＣが平行で同一方向に延出している。これらすべてのケーブルＣの軸線（ケーブルの長手方向に延びる軸線）を含む面に対して直角で連結部１２の中央位置（二つのコネクタ部１２を結ぶ方向での中央位置）を通る面を中央面とすると、該連結部１２はこの中央面に対して対称に形成され、又二つのコネクタ部１１同士は上記中央面に対して対称な位置にあると共に対称に形成されている。
【００２６】
連結部１２の両側で対称に形成され該連結部１２と一体に連結されている二つのコネクタ部１１は、電気絶縁材で作られたハウジング１３と金属材から作られた端子１６（図５参照）と、該端子１６を支持する後述の支持部材１５の一部とを有しており、この端子１６にケーブルＣが結線される。図示の例では、端子１６にケーブルＣがすでに結線されている。
【００２７】
各コネクタ部１１のハウジング１３には、ケーブルＣが結線された端子を挿入するための挿入孔１４（図５（Ａ）参照）が各ケーブル付端子に対応してケーブルの軸線方向に貫通形成されている。両コネクタ部１１における合計４つのケーブル付端子は、後述の一つの支持部材１５により支持される。
【００２８】
端子１６は、図５（Ａ）に見られるように、ケーブルＣの外皮先端部を保持している保持部１６Ａ、ケーブルＣの中心導体Ｃ１に圧着接続されている圧着部１６Ｂ、抜け防止のための支持部１６Ｃ、そして相手コネクタたる基板用コネクタの端子と接触するための接触部１６Ｄを有している。端子１６は金属板を加工して作られており、これ自体は公知であり、これ以上詳述しないが、上記係止部１６Ｃには、図５において下方に突出部１６Ｃ─１を有し、上記接触部１６Ｄは、下方に延びる二つの弾性片の下部に喉部１６Ｄ─１を形成して、ここで相手コネクタの端子を弾性挟圧して互いの接触を図るようになっている。上記ケーブルＣ付きの端子１６は、上記挿入孔１４内へ、図５（Ａ）において左方から挿入され、端子１６の突出部１６Ｃ─１が後述の係止孔２１で係止され、接続部１６Ｄが後述の受入溝２０に位置する。
【００２９】
このようにしてケーブル同士が平行状態で二つのケーブル付端子１６を保持する各コネクタ部１１のハウジング１３は、図１に見られるように、その外面に凹凸があるものの、略直方体外形をなしている。該ハウジング１３は、相手コネクタたる基板用コネクタ３０への嵌合方向に延びて外周面をなす四つの外壁面に嵌合面を形成している。四つの外壁面とは、連結部１２側の内方外壁面１３Ａ、これと反対側に位置する外方外壁面１３Ｂ、ケーブルが延出する方向でのケーブル側外壁面１３Ｃ、これと反対側で端子側に位置する端子側外壁面１３Ｄである。一方、嵌合方向に対して直角な面として、相手コネクタたる基板用コネクタ３０に面する前面（図１にて下面）１３Ｅと、これに対して反対側の後面（図１にて上面）１３Ｆが形成されている。
【００３０】
本実施形態では、上記四つの外壁面のうち、外方外壁面１３Ｂと、ケーブル側外壁面１３Ｃが互いに直交する面で嵌合面を形成し、基板用コネクタ３０の対応嵌合面と密に接して、該嵌合面に対して基準としての直角な方向での嵌合位置を定めかつ嵌合方向で嵌合案内する。上記四つの外壁面のうち、端子側外壁面１３Ｄが位置する辺を除いて、他の三つ外壁面１３Ａ，１３Ｂ，１３Ｃが位置する三辺では、前端縁が上記前面１３Ｅよりも前方に突出する突出部１７が形成されている。この突出部１７は、その前端縁にテーパ部が形成されているものの、上記三つの外壁面、すなわち内方外壁面１３Ａ、外方外壁面１３Ｂそしてケーブル側外壁面１３Ｃは、上記前面１３Ｅよりも前方に延出して形成されている。したがって、上記外方外壁面１３Ｂとケーブル側外壁面１３Ｃに形成される嵌合面も上記前面１３Ｅの位置よりも前方の突出部１７の部分にまで及んで形成されていることとなる。
【００３１】
上記三つの外壁面１３Ａ，１３Ｂ，１３Ｃの下縁から前方へ突出する突出部１７は、その内面と前面１３Ｅと相俟って、前方と端子側外壁面１３Ｄの方に開放された没入部１９を形成している。上記突出部１７が連結部１２に向く面を形成している内方外壁面１３Ａは、連結部１２の底面に至るまでの範囲で上記突出部１７の前縁に沿ってケーブルＣの長手方向に帯状に形成されている。
【００３２】
上記ケーブル側外壁面１３Ｃには、既述した挿入孔１４の開口部が形成されているとともに、該挿入孔１４の上縁と側縁には突縁部１８がケーブル延出方向に設けられていて、該突縁部１８の上面が上記コネクタ部１１の後面（上面）１３Ｆの一部をなしている。したがって、ケーブル側外壁面１３Ｃにより形成される嵌合面は、ケーブル延出方向から見ると、上記挿入孔１４の下縁と側縁に沿ってＵ字帯状をなしている。
【００３３】
次に、コネクタ部１１のハウジング１３の前面１３Ｅが、突出部１７の内面と相俟って没入部１９を形成していることは前述の通りであるが、この前面１３Ｅには、端子のための挿入孔１４に連通する二種の溝が開口されている。一つは、図５（Ａ）でも判るように、端子１６の接触部１６Ｄに対応して位置し相手コネクタの端子の対応部を受け入れる受入溝２０であり、他は該端子１６の係止部１６Ｃの突出部１６Ｃ─１が係止する係止孔２１である。本実施例において、突出部１７は、連続した突出部であるが、部分的に突出された複数の突出部であっても良い。この場合、没入部は、これらの突出部に対応する位置で、外壁面１３Ａ，１３Ｂ，１３Ｃが部分的に開放されている。
【００３４】
かかる前面１３Ｅに対し、これと反対側の後面１３Ｆは、ほぼ平坦である。
【００３５】
上記中央面に対して対称な位置で対称に形成されている二つのコネクタ部１１を連結する連結部１２は、上部側にてコネクタ部１１同士を連結しており、かつケーブルＣの軸線方向で端子側外壁面１３Ｄに対応する位置で、下方に垂下する窓２２Ａ付のロック腕部２２が設けられている。又、ケーブル側外壁面１３Ｃに対応する位置では、後述する支持部材の一部をなすロック腕部が垂下している。したがって、かかる連結部１２の下面側には、周囲が囲まれて、前方、すなわち下方に開口せる没入部２３が形成される。該没入部２３は上記ロック腕部２２側の主没入部２３Ａと上記ロック腕部２２側で没入量が大きい副没入部２３Ｂを有している。
【００３６】
次に、支持部材１５は、図２（Ａ），（Ｂ）に見られるように、上記連結部１２の後面の上に接面する板状の平板部２４と、該平板部２４の一辺（ケーブル側の一辺）から垂下する支持部材連結部２５と、該支持部材連結部２５の左右の側部から上記一辺に沿って左右方向に延出する延出部２６と、上記支持部材連結部２５の左右の側部からケーブル延出方向と逆方に延出する取付腕部２７と、それぞれの延出部２６から該取付腕部２７と平行に延びる二つの支持腕部２８とを一体に有している。上記取付腕部２７は先端部でテーパ部がそして支持腕部２８は先端部に肩部を有する段付テーパ部がそれぞれ形成されている。かかる支持部材１５は、ケーブルＣの延出側でケーブルＣの延出方向とは反対方向から上記連結部１２そしてハウジング１３に取り付けられる。この取付けによって、支持腕部２８がコネクタ部１１の挿入孔１４に突入して該支持腕部２８の先端で端子１６の突出部１６Ｃ─１に当接する。
【００３７】
このように形成されるケーブル用コネクタ１０を受け入れる基板用コネクタ３０は、図１、図３（Ａ）、図４（Ａ）にも見られるように、該ケーブル用コネクタ１０の嵌合に適した凹状の空間を形成している。この基板用コネクタ３０は、その下面で回路基板に取り付けられるが、ここでは回路基板の図示は省略されている。
【００３８】
基板用コネクタ３０は、ケーブル用コネクタ１０に対応して、互いに間隔をもって位置する二つのコネクタ部３１を有し、該二つのコネクタ部３１は両者の間に位置する連結部３２により連結されている。すなわち、ケーブル用コネクタ１０の場合と同様に、二つのコネクタ部３１のハウジング３３と上記連結部３２が基板用コネクタ３０のハウジングとして一体的に形成されている。かかる基板用コネクタ３０も、ケーブル用コネクタ１０と同様に、連結部３２の中央を通る中央面に対して対称に作られている。
【００３９】
各コネクタ部３１のハウジング３３には、上記ケーブル用コネクタ１０のコネクタ部１１を受け入れるための受入凹部３４が形成されている。該受入凹部３４を形成するハウジング３３は、連結部３２から遠い側に位置する側縁で底壁３５から起立する側外壁３６と、端子側の側縁で底壁３５から起立する端子側外壁３７とを有している。外壁３６の内側には、内壁面３６─１，３６─２が形成されている。両方の外壁３６と３７はケーブル用コネクタ１０のコネクタ部１１を嵌合方向にてほぼ完全に収容する高さに形成されている。上記底壁３５には、上記ケーブル用コネクタ１０のコネクタ部１１の外壁面に沿った周囲位置に四角環状の溝として没入部３８が形成されている。すなわち、底壁３５は、上記周囲位置の没入部３８とこの没入部３８により囲まれていて上記ケーブル用コネクタ１０のコネクタ部１１の前面１３Ｅと接面もしくは近接対面する受面３９，３９’とを形成する。
【００４０】
上記受面３９には、端子側外壁３７の内面に近接して起立片４０が設けられていて、該起立片４０と端子側外壁３７の内面との間に端子保持溝４１が形成され、該端子保持溝４１にＵ字板状の端子４２が保持されている。上記端子保持溝４１はＵ字状の端子４２の下縁を収めるように上記受面３９にも及んで延びており、該端子保持溝４１で保持される端子４２はそのＵ字脚部分で接触部４２Ａを形成している。そして、端子４２は底壁３５を貫通してハウジング３３外に突出し、その突出部分で回路基板に対する接続部４２Ｂ及び取付脚４２Ｃを形成している（図４（Ａ）及び図５（Ａ）参照）。接続部４２Ｂ及び取付脚は、ケーブルＣの延出方向または、それに直交する方向に延びケーブル延出側または、外壁側でハウジング３３外に突出して基板表面に接続していても良い。また、本実施例において、四角環状の溝として没入部３８が形成されているが、受面３９と受面３９’または、受面３９と上記二つのコネクタ部３１を連結する連結部３２または、受面３９と外壁とがハウジングまたは延出する端子によって連結されて、部分的に複数の溝部が形成されていても良い。
【００４１】
上記連結部３２は、ケーブル用コネクタ１０の連結部１２の主没入部２３Ａに嵌入する主連結部３２Ａと、該ケーブル用コネクタ１０の連結部１２の副没入部２３Ｂに嵌入する副連結部３２Ｂとを有している。二つのコネクタを嵌合したとき、主連結部３２Ａの上面はコネクタ部３１の受入凹部３４を形成する底壁３５の受部３９よりも上方、すなわちケーブル用コネクタ１０に近い方向に位置しており、したがって、副連結部３２Ｂの上面はこれよりもさらに上方に位置している。これらの主連結部３２Ａと副連結部３２Ｂは、コネクタ部３１寄りの側壁面が上記受入部３８の一部の形成に供している。
【００４２】
上記基板用コネクタ３０のハウジングは、ケーブル用コネクタ１０のケーブル延出側で外周壁が存在せず開放されており、上記ケーブル用コネクタ１０が嵌合されたときに、ケーブルＣの延出を可能としている。又、これと反対側の端子側では外周壁は連結部３２に対応する範囲、すなわち、二つのコネクタ部３１同士間の範囲で開放されていて、ここにケーブル用コネクタ１０のロック腕部２２が進入可能となっている。
【００４３】
このように構成されたケーブル用コネクタ１０と基板用コネクタ３０は、次の要領で互いに嵌合し電気的に接続される。
【００４４】
ケーブルＣに圧着された端子４２をケーブル用コネクタ１０の挿入孔１４へ挿入する。
【００４５】
こうして得られたケーブル付きのコネクタ１０の二つのコネクタ部１１を基板用コネクタ３０の二つのコネクタ部３１へ嵌合させる。嵌合開始期は、図３（Ａ），（Ｂ）に見られるごとく、ケーブル用コネクタ１０の外壁面１３Ｂが基板用コネクタ３０の内壁面３６─１へ、そして外壁面１３Ｃが内壁面３６─２に嵌入案内される。又、ケーブル用コネクタ１０の没入部２３には、基板用コネクタ３０の連結部３２が入り込んでくる。
【００４６】
上記両コネクタ部１１の嵌入案内が進行し終わりに近づくと、図４，５に見られるように、ケーブル用コネクタ１０の前面突出部１７が基板用コネクタ３０の没入部３８に嵌合案内され始める。
【００４７】
こうして、嵌合を完了する。
【００４８】
このように形成される本実施形態のケーブル用コネクタ１０と基板用コネクタ３０にあっては、嵌合方向の案内を行なう嵌合面が、互いに直角な面をなす、突出部１７にまで及ぶケーブル用コネクタ１０の外方外壁面１３Ｂとケーブル側外壁面１３Ｃそしてこれに対応する基板用コネクタ３０の没入部３８の内面に形成されているので、先ず嵌合位置が直角な両方向で良好に定まり、又、上記嵌合面がケーブル用コネクタのコネクタ部１１の前面１３Ｅよりも前方に、すなわち、これに対応する基板用コネクタ３０の受面３９よりも下方に及んでいるので、嵌合長そして嵌合面積が大きくとれ嵌合が安定する。しかも、連結部の存在により、両コネクタ部の嵌合面同士間距離が大きく確保できるので、斜め嵌合防止も有効になされる。
【００４９】
さらには、連結部１２の存在により、ケーブル用コネクタ１０での両コネクタ部１１の端子１６同士を結ぶ空間距離が大きくなると共に、上記両コネクタ部１１の端子１６間に位置する突出部１７そして連結部１２の没入部２３と、基板用コネクタ３０の両コネクタ部３１の間に位置する没入部３８そして連結部３２の存在により沿面距離が大きくなり、端子１６間の絶縁強度が高くなる。基板用コネクタ３０においても、ケーブル用コネクタ１０に対応して、連結部３２の存在により両コネクタ部の端子間の空間距離が大きくなると共に、没入部３２の存在により沿面距離も大きくなる。
【００５０】
使用に際しては、図３（Ｂ）、図４（Ｂ）、図５（Ｂ）に見られるように、ケーブルＣが結線済のケーブル用コネクタ１０を、すでに回路基板に取り付けられている基板用コネクタ３０に嵌合させる。ケーブル用コネクタ１０のコネクタ部は基板用コネクタ３０の受入凹部３４に嵌合し、端子１６が端子４２と接続され、コネクタ１０のロック腕部２２，２５が基板用コネクタ３０の対応部と係止して外れが防止される。
【００５１】
本発明は、図示し説明した形態には限定されず、種々変更が可能である。例えば、コネクタ部は二つでなくとも、三以上の複数個を設けることが可能で、その場合、コネクタ部同士間に連結部を設ける。コネクタ部同士間距離、すなわち連結部の幅は、コネクタ部における端子間の電圧により適宜定められる。又、これと共に突出部そして没入部の形状・寸法も求められる空間距離、そして沿面距離によって適宜定められる。
【図面の簡単な説明】
【００５２】
【図１】本発明の一実施形態としてのケーブル用コネクタと基板用コネクタを嵌合前    の状態で示す斜視図である。
【図２】図１のケーブル用コネクタに用いられる保持部材を示し、（Ａ）は全体を示    す斜視図、（Ｂ）は中央位置で断面された半分を示す斜視図である。
【図３】図１におけるIII─III断面図であり、（Ａ）はコネクタ嵌合前、（Ｂ）はコ    ネクタ嵌合後を示す。
【図４】図１におけるIV─IV断面図であり、（Ａ）はコネクタ嵌合前、（Ｂ）はコネ    クタ嵌合後を示す。
【図５】図１におけるV─V断面図であり、（Ａ）はコネクタ嵌合前、（Ｂ）はコネク    タ嵌合後を示す。
【符号の説明】
【００５３】
１０  ケーブル用コネクタ              ３０  基板用コネクタ
１１  コネクタ部                      ３１  コネクタ部
１２  連結部                          ３２  連結部
１３Ｂ，１３Ｃ  外壁面                ３４  受入凹部
１３Ｅ  前面                          ３５  没入部
１７  突出部                          Ｃ  ケーブル
【図１】
2008293842.tif 000003
【図２】
2008293842.tif 000004
【図３】
2008293842.tif 000005
【図４】
2008293842.tif 000006
【図５】
2008293842.tif 000007